(57)【要約】【課題】  施工やランプ交換時の作業性を改善することができる照明器具を提供する。【解決手段】  箱形の器具本体１の下面が開口し、複数の光源６が器具本体１内に収納され、枠体１１が複数の光源６の各々に対応してランプ交換用開口１０を有し器具本体１の開口部７に着脱可能に取付けられている。配光制御部材１２は枠体１１のランプ交換用開口１０に個別に着脱可能に取付けられている。  器具本体１に枠体１１を着脱可能に設け、複数の光源６に対応した配光制御部材１２を枠体１１に個別に着脱可能に設けることにより、ランプ交換を一斉に行うことができるとともに、光源６ごとにランプ交換を行うこともでき、作業性が改善される。【選択図】        図１
2006277986.tif 000002
【特許請求の範囲】
【請求項１】
一面が開口した箱形の器具本体と、この器具本体内に収納された複数の光源と、前記複数の光源の各々に対応してランプ交換用開口を有し前記器具本体の開口部に着脱可能に取付けられた枠体と、前記枠体の前記ランプ交換用開口に個別に着脱可能に取付けられた配光制御部材とを備えた照明器具。  
【発明の詳細な説明】
【技術分野】
【０００１】
この発明は、配光制御部材を有する照明器具に関するものである。
【背景技術】
【０００２】
従来例を図１２から図１４に示す。５０は複数の本体部５０ａ、５０ｂからなる器具本体、５１は各本体部５０ａ、５０ｂに設けられた複数の光源、５２はルーバ部である。器具本体５０の複数の光源５１の交換時には本体部５０ａ、５０ｂごとにルーバ部５２を外して行うが、施工時には個々のルーバ部５２をすべて外す。
【０００３】
ルーバ部５２は図１４（ａ）に示すように一体のものと、図１４（ｂ）に示すように分割されたルーバ部５２ａ、５２ｂがある。後者ではルーバ部５２ａ、５２ｂを分割して着脱するが、施工時およびランプ交換時には分割した個々のルーバ部５２ａ、５２ｂを個別に全て外す。
【特許文献１】特開平５−７４２１４号公報
【発明の開示】
【発明が解決しようとする課題】
【０００４】
ルーバ部５２が一体の場合、複数の光源５１に対して、施工時やランプ交換時ともルーバ全体を外す必要があり、特に照明器具が大型の場合は作業性が悪かった。
【０００５】
また、分割されたルーバ部５２ａ、５２ｂの場合も、施工およびランプ交換時にはすべてのルーバを個別に外す必要があり、作業性を改善するものではなかった。
【０００６】
したがって、この発明の目的は、施工やランプ交換時の作業性を改善することができる照明器具を提供することである。
【課題を解決するための手段】
【０００７】
この発明の照明器具は、箱形の器具本体の一面が開口し、複数の光源が器具本体内に収納され、枠体が前記複数の光源の各々に対応してランプ交換用開口を有し前記器具本体の開口部に着脱可能に取付けられている。配光制御部材は前記枠体の前記ランプ交換用開口に個別に着脱可能に取付けられている。
【発明の効果】
【０００８】
この発明の照明器具によれば、器具本体に枠体を着脱可能に設け、複数の光源に対応した配光制御部材を枠体に個別に着脱可能に設けたため、ランプ交換を一斉に行うことができるとともに、光源ごとにランプ交換を行うこともでき、作業性が改善される。
【発明を実施するための最良の形態】
【０００９】
この発明の第１の実施の形態の照明器具を図１から図８に示す。この照明器具は、器具本体１が天井２のＴバー２ａに支持されて天井２に埋設されている。器具本体１は下面が開口した箱形であり、内側面の両側にランプソケット３を配設し、天板４に点灯装置５を配設している。複数の光源６は例えば直管蛍光ランプであり、ランプソケット３に装着されて器具本体１に収納されている。
【００１０】
枠体１１は、器具本体１の開口部７に着脱可能に取付けられている。取付具８は例えば略Ｖ字形の線ばねを用い、その中央部の巻き部を枠体１１に取付け、器具本体１の開口部７の内側にそれぞれ設けられた一対の枠用係止部９の孔に先端を挿通して開口部７に引き寄せるように取付けている。枠体１１は内部に平板状の内装部１４を有し、内装部１４に各光源６に対応して各光源６を個別に着脱できる大きさのランプ交換用開口１０を形成している。
【００１１】
複数の配光制御部材１２は、例えばルーバであり、ランプ交換用開口１０に着脱可能に取付けられている。すなわち、配光制御部材１２の両側に引っ掛け係止するための係止部１３を設け、係止部１３に対応してランプ交換用開口１０の縁部に係止受け部１４を形成している。係止部１３を操作することにより、係止部１３を係止受け部１６に係止して配光制御部材１２を枠体１１に取付け、また係止部１３を係止受け部１６から外して配光制御部材１２を枠体１１から外すことによりランプ交換することができる。
【００１２】
図１および図２は器具施工時や全光源６を交換する場合に枠体１１を外した状態であり、図５および図６は枠体１１を器具本体１に取付けたまま配光制御部材１２を外して光源６ごとにランプ交換する状態である。
【００１３】
この実施の形態によれば、例えば１本の光源６のみを交換する場合には枠体１１を器具本体１から外すことなく光源６に対応する配光制御部材１２を枠体１１から外すことによりランプ交換が可能となり、この場合着脱部品が少なくなるので、軽量となり、従来に比較して作業性が向上する。例えば照明器具が大型で枠体９の引き下げに労力を要する場合や、光源６の一斉交換の習慣がなく、故障した光源６を逐次取り替えることが多い海外市場などで特に有用である。
【００１４】
一方枠体１１を器具本体１に対して着脱可能に取付けているため、器具施工時や保守時にすべての光源６を一斉に交換する場合などに一度の操作で作業部分が露出するため、作業性がよい。
【００１５】
この発明の第２の実施の形態を図７および図８に示す。第１の実施の形態において、配光制御部材１２の一部を透光パネル１２ａとしたものである。上記したように配光制御部材１２のみが個別に着脱可能であるため、器具本体１や枠体１１を替えることなく、ルーバ１２ｂのみを透光パネル１２ａと交換することができ、器具の機能や外観を容易に変更することができる。ルーバ１２ｂの補修などにも容易に対応可能となる。
【００１６】
この発明の第３の実施の形態を図９に示す。第１の実施の形態において、枠体１１の各ランプ交換用開口１０に例えば反射板のような配光制御機能部１８を設けている。これにより、図９（ｃ）に示すようにルーバなどの配光制御部材１２なしでも使用可能となる。例えば設置当初は配光制御部材１２なしとし、室内で必要となる機能に合わせて配光制御部材１２のルーバなどをオプションとして追加することができる。
【００１７】
この発明の第４の実施の形態を図１０に示す。第１の実施の形態において、灯数が増加した場合である。この場合、枠体１１のランプ交換用開口１０を光源６に合わせて形成し、それぞれに配光制御部材１２を着脱可能に取付けている。
【００１８】
このように、器具本体１、枠体１１の縁部、配光制御部材１２をそのまま流用でき、枠体１１の内部の内装部１４を変更および追加することで対応することができる。このため、異なる灯数でも部品の共通化が図れるという製造面での効果がある。
【００１９】
この発明の第５の実施の形態を図１１に示す。第１の実施の形態において、灯数を削減した場合である。この場合、枠体１１のランプ交換用開口１０を光源６に合わせて形成するように中央のランプ交換用開口１０を平板１４′で閉じて、残りのランプ交換用開口１０に配光制御部材１２を着脱可能に取付けている。したがって、第１の実施の形態および第４の実施の形態と同様の効果がある。
【００２０】
なお、この発明において、配光制御部材１２の取付手段は係止部１３による引っ掛け係止に限らず、ねじその他の着脱用の別部品を用いることも可能である。
【図面の簡単な説明】
【００２１】
【図１】この発明の第１の実施の形態の枠体を外した状態の分解断面図である。
【図２】その斜視図である。
【図３】枠体を取付けた状態の斜視図である。
【図４】その断面図である。
【図５】一部の配光制御部材を外した状態の斜視図である。
【図６】その断面図である。
【図７】第２の実施の形態の斜視図である。
【図８】その断面図である。
【図９】（ａ）は第３の実施の形態の断面図、（ｂ）は配光制御部材を外した枠体の断面図、（ｃ）は配光制御部材を外した枠体を取付けた照明器具の断面図である。
【図１０】第４の実施の形態の断面図である。
【図１１】第５の実施の形態の断面図である。
【図１２】（ａ）は従来例の斜視図、（ｂ）はその断面図である。
【図１３】ルーバを外した状態の断面図である。
【図１４】（ａ）は本体部の斜視図、（ｂ）は本体部の半分のルーバを外した状態の斜視図である。
【符号の説明】
【００２２】
１    器具本体
６    光源    
７    開口部
８    取付具    
１０    ランプ交換用開口    
１１    枠体
１２    配光制御部材
【図１】
2006277986.tif 000003
【図２】
2006277986.tif 000004
【図３】
2006277986.tif 000005
【図４】
2006277986.tif 000006
【図５】
2006277986.tif 000007
【図６】
2006277986.tif 000008
【図７】
2006277986.tif 000009
【図８】
2006277986.tif 000010
【図９】
2006277986.tif 000011
【図１０】
2006277986.tif 000012
【図１１】
2006277986.tif 000013
【図１２】
2006277986.tif 000014
【図１３】
2006277986.tif 000015
【図１４】
2006277986.tif 000016